(57)【特許請求の範囲】
【請求項１】
端末装置を収納するとともに、収納した前記端末装置が有する表面のうちの一部を被うケース本体部と、
前記表面のうち、前記ケース本体部により被われていない部分を被うとともに、前記ケース本体部に着脱自在に装着される保持ベルトと、
を具備し、
前記ケース本体部は、被取付物に着脱自在に装着可能であり、前記被取付物に取り付けた場合に前記被取付物に対向する外面部に設けられるとともに、前記保持ベルトが着脱自在に装着される被取付部を有し、前記被取付物側の外面部から突出する突出部の頂部を、前記被取付物に当接させることで前記被取付物に取り付けられ、
前記突出部の頂部は、前記被取付部よりも前記被取付物側に突出している、
端末装置収納ケース。
【請求項２】
前記突出部の少なくとも一部の側面は前記ケース本体部の縁側に向かって傾斜する傾斜部となっており、
前記被取付部は、前記傾斜部上に配置される、
請求項１記載の端末装置収納ケース。
【発明の詳細な説明】
【技術分野】
【０００１】
本発明は、端末装置収納ケースに関し、特に端末装置の機種に関わりなく端末装置を収納した状態でイヤホンコード等の接続部品の着脱を可能にする端末装置収納ケースに関する。
【背景技術】
【０００２】
従来、複数の異なる機種の携帯通信機を収納可能な収納ケースが知られている（例えば、特許文献１）。特許文献１では、収納ケースの側面の下部に空間を設けるので、携帯通信機を収納ケースに収納した状態でイヤホンコード等の接続部品の着脱を行うことができる。
【先行技術文献】
【特許文献】
【０００３】
【特許文献１】特開２００１−６０９９７号公報
【発明の概要】
【発明が解決しようとする課題】
【０００４】
しかしながら、携帯通信機における接続部品の差し込み口の位置は、機種によって異なる。従って、特許文献１においては、収納ケースの側面の下部に設けた空間から外部に露出する位置に接続部品の差し込み口を有さない機種は、携帯通信機を収納ケースに収納した状態で接続部品の着脱を行うことができないという問題がある。
【０００５】
本発明の目的は、端末装置における接続部品の差し込み口の位置に関わりなく、端末装置を収納した状態で接続部品の着脱を容易に行うことができ、使い勝手を向上させることができる端末装置収納ケースを提供することである。
【課題を解決するための手段】
【０００６】
本発明の端末装置収納ケースは、端末装置を収納するとともに、収納した前記端末装置が有する表面のうちの一部を被うケース本体部と、前記表面のうち、前記ケース本体部により被われていない部分を被うとともに、前記ケース本体部に着脱自在に装着される保持ベルトと、を具備し、前記ケース本体部は、被取付物に着脱自在に装着可能であり、前記被取付物に取り付けた場合に前記被取付物に対向する外面部に設けられるとともに、前記保持ベルトが着脱自在に装着される被取付部を有し、前記被取付物側の外面部から突出する突出部の頂部を、前記被取付物に当接させることで前記被取付物に取り付けられ、前記突出部の頂部は、前記被取付部よりも前記被取付物側に突出している構成を採る。
【発明の効果】
【０００７】
本発明によれば、端末装置における接続部品の差し込み口の位置に関わりなく、端末装置を収納した状態で接続部品の着脱を行うことができ、使い勝手を向上させることができる。
【図面の簡単な説明】
【０００８】
【図１】本発明の実施の形態に係る通信端末装置収納ケースの取り付け面側から見た斜視図
【図２】本発明の実施の形態に係る通信端末装置収納ケースの取り付け面と反対の面側から見た斜視図
【図３】本発明の実施の形態に係る通信端末装置収納ケースに収納される通信端末装置の斜視図
【発明を実施するための形態】
【０００９】
以下、本発明の実施の形態について、図面を参照して詳細に説明する。
【００１０】
（実施の形態）
図１は、本発明の実施の形態に係る通信端末装置収納ケース１００の取り付け面側から見た斜視図である。また、図２は、本発明の実施の形態に係る通信端末装置収納ケース１００の取り付け面と反対の面側から見た斜視図である。また、図３は、通信端末装置収納ケース１００に収納される通信端末装置３００の斜視図である。
【００１１】
通信端末装置収納ケース１００は、ケース本体部１０１と、収納部１０２と、取付ベルト１０３と、第１の保持ベルト１０４と、第２の保持ベルト１０５とから主に構成される。以下に、各構成について、詳細に説明する。
【００１２】
ケース本体部１０１は、図１及び図２の状態から展開した状態にすることができるとともに、所定の位置で折り曲げることができる。また、ケース本体部１０１は、展開した状態から、同一面が所定の間隔で対向するように所定の位置で折り曲げて図１及び図２に示す状態にすることにより、内部に収納部１０２が形成される。また、ケース本体部１０１は、図１及び図２の折り曲げた状態において、第１の上端部１１３と第２の上端部１１４とを有する。また、ケース本体部１０１は、図１及び図２の折り曲げた状態において、第１の側端部１１５と、第２の側端部１１６と、第３の側端部１１７と、第４の側端部１１８とを有する。また、ケース本体部１０１は、図１の底面部（図１において斜線で示す部分）が柔軟性を有する布状の材料により形成される。また、ケース本体部１０１は、図１の底面部以外の部分において、内部にプラスチック板が設けられ、布状の材料によりプラスチック板が被われている。
【００１３】
また、ケース本体部１０１は、第１の上端部１１３及び第２の上端部１１４により形成される外部に解放する開口１０６を有する。また、ケース本体部１０１は、第１の側端部１１５及び第２の側端部１１６により形成される外部に解放する開口１０７を有する。また、ケース本体部１０１は、第３の側端部１１７及び第４の側端部１１８により形成される外部に解放する開口１０８を有する。また、ケース本体部１０１は、外面部において外部に突出する突出部１１２を有する。また、ケース本体部１０１は、収納部１０２に収納した通信端末装置３００が有する表面のうちの一部を被う。即ち、ケース本体部１０１は、矩形状の通信端末装置３００を収納部１０２に収納した状態において、通信端末装置３００の正面３０１と、背面３０２と、４つの側面３０３、３０４、３０５、３０６のうち、正面３０１と背面３０２と１つの側面３０６との３面を被う。ここで、通信端末装置３００の正面３０１は、例えばサブ液晶画面３１０が設けられる。また、通信端末装置３００の背面３０２は、例えば電池パック収納部が設けられる。ケース本体部１０１の各開口１０６、１０７、１０８は、収納部１０２に各々連通する。
【００１４】
また、ケース本体部１０１は、ケース本体部１０１に対して、後述する取付ベルト１０３を着脱自在に取り付けるための被取付部１２０を外面部に有する。また、ケース本体部１０１は、ケース本体部１０１に対して、後述する第１の保持ベルト１０４を着脱自在に取り付けるための被取付部１２２を外面部に有する。また、ケース本体部１０１は、ケース本体部１０１に対して、後述する第２の保持ベルト１０５を着脱自在に取り付けるための被取付部１２３を外面部に有する。また、ケース本体部１０１は、第１の保持ベルト１０４及び第２の保持ベルト１０５の一端が内面部に取り付けられる。また、ケース本体部１０１は、被取付部１２０と被取付部１２２と被取付部１２３とが設けられる外面部（図１において視認できる外面部）、および、その反対側の外面部（図２において視認できる外面部）に、取付ベルト１０３が着脱自在に取り付けられる。また、ケース本体部１０１は、取付ベルト１０３の略中央部が固定的に取り付けられる。被取付部１２０、１２２、１２３は、ケース本体部１０１を衣類のベルト等の被取付物に取り付けた際に、被取付物に対向する外面部（図１において視認できる外面部）に設けられる。
【００１５】
収納部１０２は、多面体形状の通信端末装置３００を収納する。また、収納部１０２は、ケース本体部１０１の開口１０６、１０７、１０８と各々連通する。なお、通信端末装置３００は、図３に示す状態で収納部１０２に収納される。
【００１６】
取付ベルト１０３は、帯状であり、被取付部１２０に対して着脱自在に取り付けられる取付部１１９を、長手方向の一端側に有する。また、取付ベルト１０３は、ケース本体部１０１の外面部に設けた被取付部１２０に対して、取付部１１９を介して長手方向の一端側が着脱自在に装着される。また、取付ベルト１０３は、上述した一端側が装着される外面部（図１において視認できる外面部）と反対側の外面部（図２において視認できる外面部）において、長手方向の他端側が着脱自在に取り付けられる。取付ベルト１０３は、取付部１１９が被取付部１２０に装着されることにより、ケース本体部１０１の開口１０６の一部を被う。これにより、収納部１０２に収納した通信端末装置３００の脱落を防ぐことができる。また、取付ベルト１０３は、ユーザの衣類等の被取付物に取り付けることにより、ケース本体部１０１を被取付物に取り付けることができる。また、取付ベルト１０３は、長手方向の略中央部が、ケース本体部１０１の外面部（図１において視認できる外面部）に固定して取り付けられる。
【００１７】
第１の保持ベルト１０４は、帯状であり、被取付部１２２に対して着脱自在に取り付けられる取付部１２１を、長手方向の一端側に有する。また、第１の保持ベルト１０４は、ケース本体部１０１の外面部に設けた被取付部１２２に、取付部１２１を介して長手方向の一端側が着脱自在に装着される。また、第１の保持ベルト１０４は、ケース本体部１０１の内面部に、長手方向の他端側が固定される。第１の保持ベルト１０４は、取付部１２１が被取付部１２２に装着されることにより、ケース本体部１０１の開口１０７の一部を被う。また、この際、第１の保持ベルト１０４は、ケース本体部１０１により被われていない１つの側面３０３の一部を被う。これにより、第１の保持ベルト１０４は、収納部１０２に収納した通信端末装置３００の脱落を防ぐことができる。
【００１８】
第２の保持ベルト１０５は、帯状であり、被取付部１２３に対して着脱自在に取り付けられる取付部１２４を、長手方向の一端側に有する。また、第２の保持ベルト１０５は、ケース本体部１０１の外面部に設けた被取付部１２３に、取付部１２４を介して長手方向の一端側が着脱自在に装着される。また、第２の保持ベルト１０５は、ケース本体部１０１の内面部に、長手方向の他端側が固定される。第２の保持ベルト１０５は、取付部１２４が被取付部１２３に装着されることにより、ケース本体部１０１の開口１０８の一部を被う。また、この際、第２の保持ベルト１０５は、ケース本体部１０１により被われていない１つの側面３０５の一部を被う。これにより、第２の保持ベルト１０５は、収納部１０２に収納した通信端末装置３００の脱落を防ぐことができる。
【００１９】
突出部１１２は、ケース本体部１０１の外面部から外部に突出する平坦な頂部１１２ａを有する。また、突出部１１２は、頂部１１２ａから、ケース本体部１０１の取付ベルト１０３が装着される外面（装着面）部の第２の側端部１１６（縁側）に向かって傾斜する傾斜部１１２ｂを有する。また、突出部１１２は、頂部１１２ａから、ケース本体部１０１の取付ベルト１０３が装着される外面部の第４の側端部１１８（縁側）に向かって傾斜する傾斜部１１２ｃを有する。また、突出部１１２の頂部１１２ａは、被取付部１２０が設けられる。また、突出部１１２の傾斜部１１２ｂは、被取付部１２２が設けられる。また、突出部１１２の傾斜部１１２ｃは、被取付部１２３が設けられる。また、突出部１１２は、ケース本体部１０１を衣類のベルト等の被取付物に取り付けた際に、ケース本体部１０１の被取付物側の外面部（図１において視認できる外面部）に設けられる。また、頂部１１２ａは、被取付部１２２、１２３よりも被取付物側に突出する。
【００２０】
ここで、被取付部１２０、１２２、１２３及び取付部１１９、１２１、１２４は、例えばマジックテープ（登録商標）である。
【００２１】
以上で、通信端末装置収納ケース１００の構成の説明を終える。
【００２２】
次に、通信端末装置収納ケース１００の使用方法について説明する。
【００２３】
最初に、通信端末装置収納ケース１００をユーザの身に着けている衣類等に取り付ける方法について説明する。
【００２４】
まず、取付ベルト１０３の取付部１１９をケース本体部１０１の被取付部１２０から剥がす。
【００２５】
次に、通信端末装置３００を収納部１０２に収納する。
【００２６】
また、ユーザの履いているズボンのベルトを、取付ベルト１０３と突出部１１２との間に挟む。そして、取付ベルト１０３の取付部１１９をケース本体部１０１の被取付部１２０に装着することにより、通信端末装置収納ケース１００をユーザの身に着けている衣類等に固定することができる。なお、突出部１１２と取付ベルト１０３との間にズボンのベルトを通せる隙間があれば、突出部１１２において取付ベルトを必ずしも着脱自在にしなくてもよい。
【００２７】
この際、ケース本体部１０１の突出部１１２が設けられている外面部側を取り付け面にする。従って、突出部１１２の頂部１１２ａがユーザの身に着けている衣類等に当接して、収納部１０２に収納している通信端末装置３００と人体との距離を離すことができる。また、突出部１１２の頂部１１２ａがユーザの身に着けている衣類等に当接した状態において、傾斜部１１２ｂ、１１２ｃと人体との距離を離すことができる。
【００２８】
次に、通信端末装置収納ケース１００をユーザの身に着けている衣類等に取り付けた状態において、イヤホンコード等の接続部品を、収納部１０２に収納される通信端末装置３００に接続する方法について説明する。
【００２９】
まず、通信端末装置３００の接続部品の差し込み口が、側面３０３に設けられ、ケース本体部１０１の開口１０７から外部に露出する場合には、第１の保持ベルト１０４の取付部１２１を、被取付部１２２から剥がして、開口１０７の全体を外部に露出させる。
【００３０】
これにより、接続部品を通信端末装置３００の差し込み口に容易に挿入することができる。
【００３１】
次に、第１の保持ベルト１０４の取付部１２１を、被取付部１２２に装着することにより、収納部１０２に収納される通信端末装置３００の収納部１０２からの脱落を防ぐことができる。
【００３２】
また、通信端末装置３００の接続部品の差し込み口が、側面３０５に設けられ、ケース本体部１０１の開口１０８から外部に露出する場合には、第２の保持ベルト１０５の取付部１２４を、被取付部１２３から剥がして、開口１０８の全体を外部に露出させる。
【００３３】
これにより、接続部品を通信端末装置３００の差し込み口に容易に挿入することができる。
【００３４】
次に、第２の保持ベルト１０５の取付部１２４を、被取付部１２３に装着することにより、収納部１０２に収納される通信端末装置３００の収納部１０２からの脱落を防ぐことができる。
【００３５】
また、通信端末装置３００の接続部品の差し込み口が、側面３０４に設けられ、ケース本体部１０１の開口１０６から外部に露出する場合には、取付ベルト１０３の取付部１１９を、被取付部１２０から剥がして、開口１０６の全体を外部に露出させる。
【００３６】
これにより、接続部品を通信端末装置３００の差し込み口に容易に挿入することができる。
【００３７】
次に、取付ベルト１０３の取付部１１９を、被取付部１２０に装着することにより、収納部１０２に収納される通信端末装置３００の収納部１０２からの脱落を防ぐことができる。上記で説明した通り、ケース本体部１０１は、ズボンのベルト等の被取付物に着脱自在に装着可能である。
【００３８】
このように、本実施の形態によれば、通信端末装置における接続部品の差し込み口の位置に関わりなく、通信端末装置を収納した状態で接続部品の着脱を行うことができ、使い勝手を向上させることができる。また、本実施の形態によれば、ケース本体部の装着側の外面部に突出部を設けたので、通信端末装置収納ケースを衣類等に取り付けた際に、収納部に収納した通信端末装置と人体との距離を離すことができる。この結果、人体による通信端末装置のアンテナ性能の劣化を防ぐことができる。
【００３９】
また、本実施の形態によれば、ケース本体部の装着側の外面部に着脱自在な取付部と被取付部とを配置したので、外観上の見栄えを良好にすることができるとともに、外部からの力により取付部と被取付部との接続が強制的に解除されてしまうことを防ぐことができる。すなわち、ケース本体部の被取付部が、通信端末装置収納ケースを装着しているユーザの体側に配置されることになるので、取付部および被取付部が外部から視認されにくく、また、外部からの力が直接被取付部に加わり難い。なお、この効果を得るためには、被取付部が、ケースの被取付物（ここでは、ユーザの衣類等）に対向する面に配置されていればよい。ここで、被取付物に対向する面とは、上述した斜面１１２ｂ等を含む。すなわち、ケースの外面のうち、被取付物側を向いている面を、被取付物に対応する面と呼ぶ。
【００４０】
また、本実施の形態によれば、第１の保持ベルト及び第２の保持ベルトをケース本体部の傾斜部に着脱自在に装着することにより、装着部を人体から離すことができるので、第１の保持ベルト及び第２の保持ベルトの着脱操作を容易に行うことができる。また、この効果を得るためには、突出部１１２の頂部１１２ａが、保持ベルトの被取付部よりもユーザ側に突出していればよい。本実施の形態では、突出部１１２は四角錐を途中で切断したような形状になっているが、半球などのように曲面から構成された形状としたり、円錐を途中で切断したような曲面と平面の混在したような形状で構成されていたりしても良い。なお、突出部１１２を半球等で構成した場合、人体に当接する部分が頂部１１２ａとなり、他の部分は傾斜部１１２ｂ、１１２ｃとなる。すなわち、突出部１１２から、ケース本体部の縁側へ向けて伸びる面が斜面に当たる。ここで、ケース本体部の縁側とは、ケース本体部の縁そのものに限るのではなく、縁の近傍であればよいことを意味する。また、傾斜部１１２ｂ、１１２ｃも平面のみで構成するのではなく、曲面のみで構成したり、平面と曲面の混在した形状や曲面の混在した形状にしたりしてもよい。さらに、傾斜部１１２ｂと傾斜部１１２ｃについては、一方を曲面にし、他方を平面にするなど、互いに異なる形状としても良い。さらに、傾斜部１１２ｂ、１１２ｃの途中に段差を設けることで突出部の断面形状が「凸」の文字のような形状となるように構成しても構わない。
【００４１】
また、本実施の形態によれば、第１の保持ベルト及び第２の保持ベルトをケース本体部の傾斜部に装着するので、取付ベルトの着脱操作の際に第１の保持ベルトまたは第２の保持ベルトが一緒に剥がれてしまうことを防ぐことができる。また、本実施の形態によれば、イヤホンコード等の接続部品を通信端末装置に接続した状態で、通信端末装置を通信端末装置収納ケースに挿入し、または取り出すことができる。この際、第１の保持ベルトまたは第２の保持ベルトをケース本体部から剥がして通信端末装置を通信端末装置収納ケースに挿入し、または取り出す。そして、その後、ケース本体部から剥がした第１の保持ベルトまたは第２の保持ベルトを、再びケース本体部に装着する。
【００４２】
なお、本実施の形態において、収納部に通信端末装置を収納した状態でイヤホンコードを接続することにしたが、本発明はこれに限らず、アンテナまたはマイクコード等の任意の接続部品を接続することができる。また、本実施の形態において、第１の保持ベルトの長手方向の一端、及び第２の保持ベルトの長手方向に一端をケース本体部に固定したが、本発明はこれに限らず、長手方向の両端を着脱自在にケース本体部に装着するようにしてもよい。また、本実施の形態において、第１の保持ベルト及び第２の保持ベルトの形状及び大きさは、ケース本体部の開口の全部または一部を被うことができれば任意の形状及び大きさにすることができる。
【００４３】
また、本実施の形態において、ケース本体部は展開した状態にできるようにしたが、本発明はこれに限らず、図１及び図２の状態以外の状態を取れないようにしてもよい。また、本実施の形態において、矩形状の通信端末装置を収納したが、本発明はこれに限らず、多面体形状の通信端末装置であれば任意の形状の通信端末装置を収納することができる。また、本実施の形態において、円柱型や卵型など、曲面を含んだり、曲面のみから構成される通信端末装置であってもケース本体部に収納することができる。また、本実施の形態において、ケースを、取付ベルトを用いてユーザの衣類等に取り付けたが、これに限られるものではない。即ち、本実施の形態のような取付ベルトを用いずに、ケース本体部をユーザの衣類等に取り付けるようにしてもよい。例えば、ユーザの衣類等に取り付けたマジックテープ（登録商標）と組になるようなマジックテープ（登録商標）を頂部に設けることや、ケースの頂部と嵌合する形状の被取付部材をユーザの衣服等に取り付けられるようにすることなどが考えられる。
【００４４】
また、本実施の形態において、収納する対象を通信端末装置としたが、これに限られるものではない。即ち、通信機能を有しない音楽プレーヤーなど、通信端末装置以外の通信機能を有さない装置を収納対象としても良い。
【００４５】
また、本実施の形態において、ケース本体部１０１は、底面部のみが柔軟性を有する材料で形成されるとしたが、これに限られるものではない。ケース本体部１０１全体を柔軟性を有する材料で構成しても良い。また、ケース本体部１０１を構成する材料も上記の実施の形態のものに限られるものではなく、革や金属など、他の材料を用いてケース本体部１０１を構成してもよい。
【００４６】
また、本実施の形態において、取付ベルト１０３は、長手方向の略中央部がケース本体部１０１の外面部に固定され、長手方向の両端よりの部分がケース本体部１０１から着脱可能であるとしたが、これに限られるものではない。取付ベルト１０３を長手方向の一端でケース本体部１０１に固定し、略中央部を固定せず、長手方向の他端をケース本体部１０１から着脱可能としてもよい。
【産業上の利用可能性】
【００４７】
本発明にかかる端末装置収納ケースは、特に端末装置の機種に関わりなく端末装置を収納した状態でイヤホンコード等の接続部品の着脱を可能にするのに好適である。
【符号の説明】
【００４８】
１００  通信端末装置収納ケース
１０１  ケース本体部
１０２  収納部
１０３  取付ベルト
１０４  第１の保持ベルト
１０５  第２の保持ベルト
１０６、１０７、１０８  開口
１１２  突出部
１１２ａ  頂部
１１２ｂ、１１２ｃ  傾斜部
１１３  第１の上端部
１１４  第２の上端部
１１５  第１の側端部
１１６  第２の側端部
１１７  第３の側端部
１１８  第４の側端部
１１９、１２１、１２４  取付部
１２０、１２２、１２３  被取付部
【図１】
0005439243.tif 000002
【図２】
0005439243.tif 000003
【図３】
0005439243.tif 000004